(57)【要約】【課題】  非線形光学効果による主信号光の劣化を緩和し、また光伝送路でのラマン利得を向上させて伝送距離の長距離化を図る。【解決手段】  送信端局と光中継装置と受信端局とを接続する光伝送ファイバに少なくとも１つの光増幅ファイバを挿入し、送信端局または光中継装置または受信端局の少なくとも一方から光増幅ファイバに励起光を供給し、送信端局から受信端局に伝送される主信号光を増幅する構成である遠隔励起光伝送システムにおいて、送信端局および光中継装置の出力端に、光伝送ファイバよりもコア径が大きいコア拡大ファイバを介して光伝送ファイバを接続し、送信端局および光中継装置は、光伝送ファイバに直接入力した場合に非線形光学効果の影響が現れる高い信号光パワーの主信号光をコア拡大ファイバを介して送信する構成である。【選択図】        図１
2007158980.tif 000002
【特許請求の範囲】
【請求項１】
送信端局と受信端局とを接続する光伝送ファイバに少なくとも１つの光増幅ファイバを挿入し、前記送信端局または前記受信端局の少なくとも一方から前記光増幅ファイバに励起光を供給し、前記送信端局から前記受信端局に伝送される主信号光を増幅する構成である遠隔励起光伝送システムにおいて、
前記送信端局の出力端に、前記光伝送ファイバよりもコア径が大きいコア拡大ファイバを介して前記光伝送ファイバを接続し、
前記送信端局は、前記光伝送ファイバに直接入力した場合に非線形光学効果の影響が現れる高い信号光パワーの主信号光を前記コア拡大ファイバを介して送信する構成である
ことを特徴とする遠隔励起光伝送システム。
【請求項２】
請求項１に記載の遠隔励起光伝送システムにおいて、
前記送信端局と前記受信端局とを接続する光伝送ファイバに、伝送される主信号光を増幅中継し、かつ前記光増幅ファイバに対して励起光を供給する手段を含む少なくとも１つの光中継装置を挿入し、
前記光中継装置の出力端に、前記光伝送ファイバよりもコア径が大きいコア拡大ファイバを介して前記光伝送ファイバを接続し、
前記光中継装置は、前記光伝送ファイバに直接入力した場合に非線形光学効果の影響が現れる高い信号光パワーの主信号光を前記コア拡大ファイバを介して送信する構成である  ことを特徴とする遠隔励起光伝送システム。
【請求項３】
請求項１または請求項２に記載の遠隔励起光伝送システムにおいて、
前記送信端局は、前記コア拡大ファイバで前記主信号光を前方ラマン増幅するラマン励起光を供給する手段を含む
ことを特徴とする遠隔励起光伝送システム。
【請求項４】
請求項２に記載の遠隔励起光伝送システムにおいて、
前記光中継装置は、前記コア拡大ファイバで前記主信号光を前方ラマン増幅するラマン励起光を供給する手段を含む
ことを特徴とする遠隔励起光伝送システム。
【請求項５】
請求項１または請求項２に記載の遠隔励起光伝送システムにおいて、
前記受信端局は、前記光増幅ファイバに対して後方励起を行う励起光を供給する手段を備え、
前記受信端局の入力端に、前記光伝送ファイバよりもコア径が小さい光ファイバを介して前記光伝送ファイバを接続し、このコア径が小さい光ファイバを伝搬する前記主信号光を前記光増幅ファイバに供給する励起光で後方ラマン増幅する構成である
ことを特徴とする遠隔励起光伝送システム。
【請求項６】
請求項２に記載の遠隔励起光伝送システムにおいて、
前記光中継装置は、前記光増幅ファイバに対して後方励起を行う励起光を供給する手段を備え、
前記光中継装置の入力端に、前記光伝送ファイバよりもコア径が小さい光ファイバを介して前記光伝送ファイバを接続し、このコア径が小さい光ファイバを伝搬する前記主信号光を前記光増幅ファイバに供給する励起光で後方ラマン増幅する構成である
ことを特徴とする遠隔励起光伝送システム。
【請求項７】
請求項１，２，５，６のいずれかに記載の遠隔励起光伝送システムにおいて、
前記光増幅ファイバに供給される励起光をラマン増幅する二次ラマン励起光を発生し、前記光増幅ファイバに前記励起光とともに供給する手段を備えた
ことを特徴とする遠隔励起光伝送システム。
【請求項８】
請求項５または請求項６に記載の遠隔励起光伝送システムにおいて、
上り回線用の前記コア拡大ファイバと下り回線用の前記コア径が小さい光ファイバが等長であり、下り回線用の前記コア拡大ファイバと上り回線用の前記コア径が小さい光ファイバが等長である
ことを特徴とする遠隔励起光伝送システム。
【発明の詳細な説明】
【技術分野】
【０００１】
本発明は、光伝送ファイバを介して接続される送信端局と受信端局との間で、光増幅ファイバ、または光増幅ファイバと光中継装置を用いて長距離伝送を可能にする遠隔励起光伝送システムに関する。
【背景技術】
【０００２】
図８は、従来の遠隔励起光伝送システムの構成例および信号光パワーダイヤグラムを示す（特許文献１）。
【０００３】
図において、従来の遠隔励起光伝送システムは、送信端局１０Ａと受信端局１０Ｂとを接続する光伝送ファイバ（例えば単一モード光ファイバ：ＳＭＦ）２１の適当な位置に、少なくとも１つの光増幅ファイバ（例えばエルビウム添加光ファイバ：ＥＤＦ）２２を挿入し、送信端局１０Ａおよび受信端局１０Ｂの少なくとも一方から光増幅ファイバ２２に励起光を供給し、伝送される主信号光を増幅する構成である。
【０００４】
送信端局１０Ａは光送信器１１と光増幅器１２を備え、光送信器１１から出力される主信号光を光増幅器１２で増幅して光伝送ファイバ２１に送信する。受信端局１０Ｂは、光伝送ファイバ２１を介して伝送された主信号光を受信する光受信器１３と、光増幅ファイバ２２に供給する励起光を発生する励起光源１４と、励起光源１４から出力される励起光を光伝送ファイバ２１に結合する光カプラ１５が備えられる。ここでは、受信端局１０Ｂから励起光を供給する後方励起の場合を示すが、送信端局１０Ａから励起光を供給する前方励起、または送信端局１０Ａおよび受信端局１０Ｂの双方から励起光を供給する双方向励起のいずれでもよい。
【０００５】
送信端局１０Ａから送信された主信号光の信号光パワーは、図８に示すように、光伝送ファイバ２１の伝送によって徐々に低下し、光増幅ファイバ２２で増幅されて上昇するが、再び光伝送ファイバ２１の伝送によって徐々に低下して受信端局１０Ｂに到達する。
【０００６】
図９は、従来の遠隔励起光伝送システムの他の構成例および信号光パワーダイヤグラムを示す（特許文献２）。
【０００７】
図において、本構成の遠隔励起光伝送システムは、図８の構成における送信端局１０Ａと受信端局１０Ｂとの間に、少なくとも１つの光中継装置３０を配置したものである。ここでは、送信端局１０Ａと光中継装置３０との間を接続する光伝送ファイバ（ＳＭＦ）２１−１、光中継装置３０と受信端局１０Ｂとの間を接続する光伝送ファイバ（ＳＭＦ）２１−２に、それぞれ光増幅ファイバ（ＥＤＦ）２２−１，２２−２が挿入されて同様に主信号光が増幅される。光中継装置３０には、中継する主信号光を増幅する光増幅器３１、光増幅ファイバ２２−１に対する後方励起のための励起光源３２および光カプラ３３が配置される。なお、送信端局１０Ａおよび光中継装置３０に前方励起のための励起光源等を備える構成としてもよい。また、光中継装置３０は再生中継器であってもよい。
【特許文献１】特許２７１４６１１号公報
【特許文献２】特開平９−２００１４４号公報
【発明の開示】
【発明が解決しようとする課題】
【０００８】
ところで、送信端局１０Ａ、光増幅ファイバ２２、光中継装置３０からそれぞれ出力される主信号光の信号光パワーは、光伝送ファイバ２１の非線形光学効果（ＳＰＭ（自己位相変調）、ＦＷＭ（四光波混合）、ＸＰＭ（相互位相変調）、ＳＢＳ（誘導ブリルアン散乱）、他）による影響を回避するために、所定値以上にならないように制限されている。また、従来からラマン増幅を適用した光伝送システムも検討されているが、ラマン増幅に効果的な光ファイバを最適配置することは検討されていない。
【０００９】
したがって、従来は光増幅ファイバにおける光増幅や、光伝送ファイバにおけるラマン増幅を利用して中継区間の長距離化を図っているが、上記のような問題から更なる中継区間の長距離化は困難になっていた。
【００１０】
本発明は、非線形光学効果による主信号光の劣化を緩和し、また光伝送路でのラマン利得を向上させて伝送距離の長距離化を図ることができる遠隔励起光伝送システムを提供することを目的とする。
【課題を解決するための手段】
【００１１】
第１の発明は、送信端局と受信端局とを接続する光伝送ファイバに少なくとも１つの光増幅ファイバを挿入し、送信端局または受信端局の少なくとも一方から光増幅ファイバに励起光を供給し、送信端局から受信端局に伝送される主信号光を増幅する構成である遠隔励起光伝送システムにおいて、送信端局の出力端に、光伝送ファイバよりもコア径が大きいコア拡大ファイバを介して光伝送ファイバを接続し、送信端局は、光伝送ファイバに直接入力した場合に非線形光学効果の影響が現れる高い信号光パワーの主信号光をコア拡大ファイバを介して送信する構成である。
【００１２】
第２の発明は、第１の発明の遠隔励起光伝送システムにおいて、送信端局と受信端局とを接続する光伝送ファイバに、伝送される主信号光を増幅中継し、かつ光増幅ファイバに対して励起光を供給する手段を含む少なくとも１つの光中継装置を挿入し、光中継装置の出力端に、光伝送ファイバよりもコア径が大きいコア拡大ファイバを介して光伝送ファイバを接続し、光中継装置は、光伝送ファイバに直接入力した場合に非線形光学効果の影響が現れる高い信号光パワーの主信号光をコア拡大ファイバを介して送信する構成である。
【００１３】
この第１の発明および第２の発明により、送信端局および光中継装置は従来より高い信号光パワーの主信号光を送信（中継）しても、光伝送ファイバにおける非線形光学効果の影響を緩和することが可能となり、伝送距離（中継間隔）の長距離化を実現することができる。
【００１４】
また、第１の発明または第２の発明の構成において、送信端局または光中継装置は、コア拡大ファイバで主信号光を前方ラマン増幅するラマン励起光を供給する手段を含むようにしてもよい。これにより、主信号光の伝送損失が低減され、伝送距離（中継間隔）の長距離化を実現することができる。
【００１５】
また、第１の発明または第２の発明の構成において、受信端局または光中継装置は、光増幅ファイバに対して後方励起を行う励起光を供給する手段を備え、受信端局または光中継装置の入力端に、光伝送ファイバよりもコア径が小さい光ファイバを介して光伝送ファイバを接続し、このコア径が小さい光ファイバを伝搬する主信号光を光増幅ファイバに供給する励起光で後方ラマン増幅する構成としてもよい。これにより、光増幅ファイバに供給する励起光により生じる主信号光のラマン利得が増大し、主信号光の伝送損失が低減して伝送距離（中継間隔）の長距離化を実現することができる。
【００１６】
また、光増幅ファイバに供給される励起光をラマン増幅する二次ラマン励起光を発生し、光増幅ファイバに励起光とともに供給する手段を備えてもよい。これにより、光増幅ファイバに供給される励起光の伝送損失が低減し、その結果として主信号光の伝送損失が低減して伝送距離（中継間隔）の長距離化を実現することができる。
【００１７】
また、上り回線用のコア拡大ファイバと下り回線用のコア径が小さい光ファイバが等長とし、下り回線用のコア拡大ファイバと上り回線用のコア径が小さい光ファイバが等長としてもよい。これにより、光伝送ファイバだけで上り回線と下り回線を構成できる区間と、コア拡大ファイバとコア径の小さい光ファイバで上り回線と下り回線を構成できる区間に光伝送路を分類でき、さらに光増幅ファイバを収容する筐体で各光ファイバの接続を行うことが可能となる。
【発明の効果】
【００１８】
本発明の遠隔励起光伝送システムは、送信端局または光中継装置の出力端にコア拡大ファイバを接続して送信（中継）する主信号光の信号光パワーを増大させることにより、伝送距離（中継間隔）の長距離化を実現することができる。
【００１９】
また、本発明の遠隔励起光伝送システムは、送信端局または光中継装置からコア拡大ファイバにラマン励起光を供給して主信号光をラマン増幅させたり、受信端局または光中継装置の入力端にコア径の小さい光ファイバを接続して光増幅ファイバに供給する励起光で主信号光をラマン増幅することにより、主信号光の伝送損失が低減して伝送距離（中継間隔）の長距離化を実現することができる。
【発明を実施するための最良の形態】
【００２０】
（第１の実施形態）
図１は、本発明の遠隔励起光伝送システムの第１の実施形態を示す。ここでは、システム構成と信号光パワーダイヤグラムを関連付けて示す。
【００２１】
図において、本実施形態の遠隔励起光伝送システムは、送信端局１０Ａと受信端局１０Ｂとの間に１つの光中継装置３０があり、送信端局１０Ａと光中継装置３０との間を接続する光伝送ファイバ（ＳＭＦ）２１−１、光中継装置３０と受信端局１０Ｂとの間を接続する光伝送ファイバ（ＳＭＦ）２１−２に、それぞれ光増幅ファイバ（ＥＤＦ）２２−１，２２−２が挿入される構成である。光増幅ファイバ２２−１に供給する励起光は、送信端局１０Ａおよび光中継装置３０の少なくとも一方から供給され、光増幅ファイバ２２−２に供給する励起光は、光中継装置３０および受信端局１０Ｂの少なくとも一方から供給されるが、ここでは後方励起を想定している。
【００２２】
送信端局１０Ａは光送信器１１と光増幅器１２を備え、光送信器１１から出力される主信号光を光増幅器１２で増幅して光伝送ファイバ２１−１に送信する。光中継装置３０は、中継する主信号光を増幅する光増幅器３１と、光増幅ファイバ２２−１に励起光を供給する後方励起のための励起光源３２および光カプラ３３を備える。受信端局１０Ｂは、光伝送ファイバ２１−２を介して伝送された主信号光を受信する光受信器１３と、光増幅ファイバ２２−２に励起光を供給する後方励起のための励起光源１４および光カプラ１５を備える。ここまでの構成は、図９に示す従来構成と同様である。
【００２３】
なお、送信端局１０Ａから光増幅ファイバ２２−１に励起光を供給する前方励起、または光中継装置３０から光増幅ファイバ２２−２に励起光を供給する前方励起、さらに双方向励起のいずれでもよい。また、光中継装置３０がない構成あるいは２以上の光中継装置が配置される構成でも同様である。
【００２４】
本実施形態の特徴は、送信端局１０Ａおよび光中継装置３０の出力端に、それぞれコア拡大ファイバ４１−１，４１−２を介して光伝送ファイバ２１−１，２１−２を接続し、送信端局１０Ａおよび光中継装置３０は、光伝送ファイバ２１−１，２１−２に直接入力した場合に非線形光学効果の影響が現れる信号光パワーＰthを超える主信号光をコア拡大ファイバ４１−１，４１−２を介して送信（中継）するところにある。
【００２５】
コア拡大ファイバとしては、ＩＴＵ−ＴＧ.654に規定する光ファイバ（以下、Ｇ.654ファイバという。他のＩＴＵ−Ｔ規定の光ファイバも同様。）を用いることができる。このコア拡大ファイバ（例えば、モードフィールド径11.8μｍ）は、光伝送ファイバ２１として用いるＧ.652ファイバ（例えば、モードフィールド径10.0μｍ）に比べてコア径が拡大されており、信号光のパワー密度は約40％低くなる。両光ファイバで発生する非線形光学効果の影響を同程度許容するとすれば、送信端局１０Ａおよび光中継装置３０の出力端でコア拡大ファイバ４１−１，４１−２を用いることより、それぞれから送信される信号光パワーを約 1.4ｄＢ高くすることができる。これにより、送信（中継）する信号光パワーを大きくしても非線形光学効果の影響が緩和されるので、伝送距離（中継間隔）の長距離化を実現することができる。なお、信号光パワーが高い状態にある距離（図１で信号光パワーＰthを超えている部分の距離）は、光ファイバの非線形長として約25ｋｍ程度になるので、コア拡大ファイバ４１−１，４１−２の長さはその非線形長に相当する長さが望ましい。
【００２６】
ここで、ＩＴＵ−Ｔで規定されているモードフィールド径を表１に示す。
【表１】
2007158980.tif 000003
【００２７】
（第２の実施形態）
図２は、本発明の遠隔励起光伝送システムの第２の実施形態を示す。ここでは、システム構成と信号光パワーダイヤグラムを関連付けて示す。
【００２８】
本実施形態では、第１の実施形態と同様に、光増幅ファイバ（ＥＤＦ）２２−１，２２−２に対して光中継装置３０および受信端局１０Ｂからそれぞれ後方励起を行い、さらに送信端局１０Ａの出力端および光中継装置３０の出力端にコア拡大ファイバ４１−１，４１−２を接続して送信する信号光パワーの増大を可能にする構成において、送信端局１０Ａの出力端に接続されたコア拡大ファイバ４１−１で主信号光に対して前方ラマン励起を行うために、送信端局１０Ａにラマン励起光を供給する励起光源１６と光カプラ１７を備える。また、光中継装置３０の出力端に接続されたコア拡大ファイバ４１−２で主信号光に前方ラマン励起を行うために、光中継装置３０にラマン励起光を供給する励起光源３４と光カプラ３５を備える。
【００２９】
送信端局１０Ａおよび光中継装置３０では、各ラマン励起用の励起光源１６，３４から光カプラ１７，３５を介して、コア拡大ファイバ４１−１，４１−２にラマン励起光が供給される。伝送される主信号光は、コア拡大ファイバ４１−１，４１−２でラマン励起光によりラマン増幅され、信号光パワーの増大によって伝送距離（中継間隔）の長距離化を実現することができる。
【００３０】
ところで、ラマン利得は、モードフィールド径が小さい光ファイバほど高いので、送信端局１０Ａおよび光中継装置３０の各出力端に接続されるコア拡大ファイバ４１−１，４１−２は短い方がよい。一方、光伝送ファイバ２１−１，２１−２における非線形光学効果の影響を抑えて送信する信号光パワーを高くするためには、コア拡大ファイバ４１−１，４１−２の長さをある程度確保する必要がある。この２つの条件を考慮すると、コア拡大ファイバ４１−１，４１−２は、第１の実施形態で示した最低限の長さ（非線形長として約25ｋｍ）とすることが望ましい。
【００３１】
なお、本実施形態における前方ラマン励起のための励起光源および光カプラは、光増幅ファイバ２２−１，２２−２に対する前方励起手段と共用してもよい。
【００３２】
（第３の実施形態）
図３は、本発明の遠隔励起光伝送システムの第３の実施形態を示す。ここでは、システム構成と信号光パワーダイヤグラムを関連付けて示す。
【００３３】
本実施形態では、第２の実施形態と同様に、光増幅ファイバ（ＥＤＦ）２２−１，２２−２に対して光中継装置３０および受信端局１０Ｂからそれぞれ後方励起を行い、さらに送信端局１０Ａの出力端および光中継装置３０の出力端にコア拡大ファイバ４１−１，４１−２を接続して送信する信号光パワーの増大を可能にするとともに、主信号光に対して前方ラマン励起を行う構成において、光増幅ファイバ２２−１，２２−２に供給する励起光（1480ｎｍ帯）で主信号光を後方ラマン増幅するために、光中継装置３０の入力端および受信端局１０Ｂの入力端に、光伝送ファイバ２１−１，２１−２よりモードフィールド径の小さな分散シフトファイバ（ＤＳＦ）４２−１，４２−２を接続する。図中の「ＥＤＦ用励起光（ラマン励起光）」は、光増幅ファイバ２２−１，２２−２に供給する励起光が主信号光をラマン増幅するラマン励起光になることを意味している。
【００３４】
例えば、光伝送ファイバ２１−１，２１−２としてＧ.652ファイバを用い、コア拡大ファイバ４１−１，４１−２としてＧ.654ファイバを用い、分散シフトファイバ４２−１，４２−２としてＧ.653ファイバまたはＧ.655ファイバを用いる。ここで、Ｇ.652ファイバと比べてＧ.653ファイバではモードフィールド径が約 0.6倍なので、ラマン利得（ｄＢ）は１／0.6 倍に増加する。この光中継装置３０の入力端および受信端局１０Ｂの入力端に接続した分散シフトファイバ４２−１，４２−２におけるラマン利得により主信号光の伝送損失が低減され、伝送距離（中継間隔）の長距離化を実現できる。
【００３５】
なお、光増幅ファイバ２２−１，２２−２に供給する励起光から主信号光に対して得られるラマン利得は、分散シフトファイバ４２−１，４２−２が長いほど大きくなる。しかし、信号光パワーが高い状態にある光増幅ファイバ２２−１，２２−２の出力端にモードフィールド径の小さな分散シフトファイバ４２−１，４２−２を直接接続すると（図３の状態）、非線形光学効果の影響による主信号光の信号品質の劣化が懸念される。例えば、信号光帯域が1550ｎｍ帯の場合に、Ｇ.653ファイバの零分散波長が1550ｎｍ帯であるので、信号光パワーが高くなる光増幅ファイバ２２−１，２２−２の近傍まで分散シフトファイバ４２−１，４２−２としてＧ.653ファイバを用いることは避け、光中継装置３０の入力端近傍および受信端局１０Ｂの入力端近傍のみとするのがよい。すなわち、光増幅ファイバ２２−１，２２−２と分散シフトファイバ４２−１，４２−２との間に通常の光伝送ファイバ２１を接続すればよい。
【００３６】
また、本実施形態は、前方ラマン増幅を行う第２の実施形態に適用した場合について説明したが、送信端局１０Ａおよび光中継装置３０の出力端にコア拡大ファイバ４１−１，４１−２を接続した第１の実施形態において、光増幅ファイバ２２−１，２２−２に供給する励起光で主信号光をラマン増幅するために、光中継装置３０の入力端および受信端局１０Ｂの入力端に、光伝送ファイバ２１−１，２１−２よりモードフィールド径の小さな分散シフトファイバ（ＤＳＦ）４２−１，４２−２を接続するようにしてもよい。この場合の構成例を図４に示す。
【００３７】
（第４の実施形態）
図５は、本発明の遠隔励起光伝送システムの第４の実施形態を示す。ここでは、システム構成と信号光パワーダイヤグラムを関連付けて示す。
【００３８】
本実施形態では、第３の実施形態と同様に、光増幅ファイバ（ＥＤＦ）２２−１，２２−２に対して光中継装置３０および受信端局１０Ｂからそれぞれ後方励起を行い、さらに送信端局１０Ａの出力端および光中継装置３０の出力端にコア拡大ファイバ４１−１，４１−２を接続して送信する信号光パワーの増大を可能にするとともに、主信号光に対して前方ラマン励起を行い、さらに光増幅ファイバ２２−１，２２−２に対する励起光で主信号光を後方ラマン増幅するために、光中継装置３０の入力端および受信端局１０Ｂの入力端に分散シフトファイバ（ＤＳＦ）４２−１，４２−２を接続する構成において、光増幅ファイバ２２−２に供給する励起光をラマン増幅するための二次ラマン励起光を供給する励起光源１８および光カプラ１９を受信端局１０Ｂに備える。
【００３９】
励起光源１８から出力された二次ラマン励起光は、光カプラ１９，１５を介して分散シフトファイバ４２−２に入力され、励起光源１４から光増幅ファイバ２２−２に供給される励起光をラマン増幅する。これにより、受信端局１０Ｂから光増幅ファイバ２２−２までにおける励起光の伝搬損失が低減され、光増幅ファイバ２２−２の位置を受信端局１０Ｂから遠方にすることができ、伝送距離（中継間隔）の長距離化を実現することができる。ここで、励起光源１４が1480ｎｍ帯とすると、二次ラマン励起光を発生する励起光源１８はそれから約 100ｎｍ短波長側の波長とすることにより、高いラマン利得を得ることができる。なお、図５に示す信号光パワーダイヤグラムでは、分散シフトファイバ４２−２を介して光増幅ファイバ２２−２に供給される励起光がラマン増幅されるので、光中継装置３０の入力端より受信端局１０Ｂの入力端の信号光パワーが高くなっていることを示している。
【００４０】
また、光中継装置３０において、同様に光増幅ファイバ２２−１に供給する励起光をラマン増幅する構成としてもよい。また、本実施形態は、前方ラマン増幅を行う第３の実施形態に適用した場合について説明したが、送信端局１０Ａおよび光中継装置３０の出力端にコア拡大ファイバを接続した第１の実施形態において、光増幅ファイバ２２−１，２２−２に供給する励起光で主信号光をラマン増幅するために、光中継装置３０の入力端および受信端局１０Ｂの入力端に、光伝送ファイバ２１−１，２１−２よりモードフィールド径の小さな分散シフトファイバ（ＤＳＦ）４２−１，４２−２を接続し、さらに光増幅ファイバ２２−１，２２−２に供給する励起光をラマン増幅するようにしてもよい。この場合の構成例を図６に示す。図６において、光増幅中継器３０の励起光源３６から出力される二次ラマン励起光は、光カプラ３７，３３を介して分散シフトファイバ４２−１に入力され、励起光源３２から光増幅ファイバ２２−１に供給される励起光をラマン増幅する。
【００４１】
（第５の実施形態）
図７は、本発明の遠隔励起光伝送システムの第５の実施形態を示す。
一般にポイントツーポイントの光伝送システムでは、光伝送路は上り回線と下り回線で構成される。海底光伝送システムでは、光伝送路（海底ケーブル）は４心ないし６心の光ファイバで構成され、上り回線と下り回線で使い分けられる。本実施形態は、第３の実施形態のように、光伝送ファイバ（ＳＭＦ）２１、光増幅ファイバ（ＥＤＦ）２２、コア拡大ファイバ４１、分散シフトファイバ（ＤＳＦ）４２を用いて光伝送路を構成する場合に、各ファイバの相互接続を行うための場所を確保し、かつ上り回線と下り回線を合わせた各伝送区間Ａ〜Ｆにおける光ファイバの種類を少なくするための構成例を示す。
【００４２】
図７において、伝送区間Ａは、上り回線（図中上段）の送信端局１０Ａおよび下り回線（図中下段）の受信端局１０Ｂと筐体５１との間を示す。伝送区間Ｂは、筐体５１と筐体５２との間を示す。伝送区間Ｃは、上り回線および下り回線の光中継装置３０と筐体５２との間を示す。伝送区間Ｄは、上り回線および下り回線の光中継装置３０と筐体５３との間を示す。伝送区間Ｅは、筐体５３と筐体５４との間を示す。伝送区間Ｆは、上り回線の受信端局１０Ｂおよび下り回線の送信端局１０Ａと筐体５４との間を示す。
【００４３】
本実施形態の特徴は、上り回線のコア拡大ファイバ４１と下り回線の分散シフトファイバ４２の長さ、下り回線のコア拡大ファイバ４１と上り回線の分散シフトファイバ４２の長さをそれぞれ等しくする。これにより光増幅ファイバ（ＥＤＦ）２２を収容する筐体５１〜５４内で、上り回線（または下り回線）のコア拡大ファイバ４１と光伝送ファイバ２１の接続と、下り回線（または上り回線）の分散シフトファイバ４２と光増幅ファイバ２２と光伝送ファイバ２１の接続が可能となる。
【００４４】
さらに、伝送区間Ａ，Ｃ，Ｄ，Ｆでは、コア拡大ファイバ４１と分散シフトファイバ（ＤＦＳ）４２により上り回線と下り回線を構成できる。また、伝送区間Ｂ，Ｅでは、２本の光伝送ファイバ（ＳＭＦ）２１で上り回線と下り回線を構成できる。
【図面の簡単な説明】
【００４５】
【図１】本発明の遠隔励起光伝送システムの第１の実施形態を示す図。
【図２】本発明の遠隔励起光伝送システムの第２の実施形態を示す図。
【図３】本発明の遠隔励起光伝送システムの第３の実施形態を示す図。
【図４】本発明の遠隔励起光伝送システムの第３の実施形態の変形を示す図。
【図５】本発明の遠隔励起光伝送システムの第４の実施形態を示す図。
【図６】本発明の遠隔励起光伝送システムの第４の実施形態の変形を示す図。
【図７】本発明の遠隔励起光伝送システムの第５の実施形態を示す図。
【図８】従来の遠隔励起光伝送システムの構成例および信号光パワーダイヤグラムを示す図。
【図９】従来の遠隔励起光伝送システムの他の構成例および信号光パワーダイヤグラムを示す図。
【符号の説明】
【００４６】
１０Ａ  送信端局
１０Ｂ  受信端局
１１  光送信器
１２，１５，１７，１９  光カプラ
１３  光受信器
１４，１６，１８  励起光源
２１  光伝送ファイバ（ＳＭＦ）
２２  光増幅ファイバ（ＥＤＦ）
３０  光中継装置
３１  光増幅器
３２，３４，３６  励起光源
３３，３５，３７  光カプラ
４１  コア拡大ファイバ
４２  分散シフトファイバ（ＤＳＦ）
５１，５２，５３，５４  筐体
【図１】
2007158980.tif 000004
【図２】
2007158980.tif 000005
【図３】
2007158980.tif 000006
【図４】
2007158980.tif 000007
【図５】
2007158980.tif 000008
【図６】
2007158980.tif 000009
【図７】
2007158980.tif 000010
【図８】
2007158980.tif 000011
【図９】
2007158980.tif 000012